(57)【要約】【課題】構造を複雑化することなく小型の駆動手段で効率よく表示装置を開閉駆動させると共に、車両等の振動による表示装置の振動や駆動機構内部の振動音等を効果的に抑える。【解決手段】表示部１２を有する表示装置１１を車両などの室内天井部２に対し開閉動作可能に取り付けるためのモニター開閉装置は、ギア列３０を介してステッピングモーター２８の駆動力を表示装置１１に設けられた回動シャフト１８に伝達する。回動シャフト１８の略中央部にギア列３０を設けると共に、アーム４２の両端にガススプリング４４を設け、表示装置１２が開位置で停止しているときに作動スプリングによるモーメントを受けるようにアーム４２が回動シャフト１８に取り付けられている。【選択図】        図１
2004217079.tif 000002
【特許請求の範囲】
【請求項１】
表示装置を車両などの室内天井部に対し開閉動作可能に取り付けるためのモニター開閉装置であって、
車両等の室内天井部に設けられる固定ベースと、
表示装置の一端部側に固定して設けられて固定ベースに回動可能に支持された回動シャフトと、
固定ベースに設けられた開閉駆動手段と、
表示装置が回動シャフトを支点として開閉駆動するように開閉駆動手段の駆動力を伝達するギア列と、
回動シャフトと一体に回動するアームと、
該アームと固定ベースとの間に取り付けられてアームを付勢する作動スプリングと、を有し、
前記回動シャフトの略中央部に前記ギア列を設けると共に、前記アームの両端に前記作動スプリングを設け、前記作動スプリングは、高圧ガスをシリンダチューブに封入したガススプリングからなることを特徴とするモニター開閉装置。
【請求項２】
請求項１記載のモニター開閉装置において、
前記アームは、前記表示装置が所定角度の開位置に停止されているときに、前記作動スプリングの付勢力が前記回動シャフトに対して前記表示装置の開方向又は閉方向のいずれかの方向に作用させるように、前記回動シャフトに取り付けられていることを特徴とするモニター開閉装置。
【請求項３】
請求項１又は請求項２記載のモニター開閉装置において、
前記表示装置の表示部に取り付けられるモニターベースと、
前記モニターベースに固着されたモニターベースアームと、
前記回動シャフトの所定箇所に設けられた平面部と、
前記平面部を挟み込むようにして前記モニターベースアームに一体的に固定されるシャフトステーと、
前記モニターベースアームに前記シャフトステーを一体的に連結可能な一端部を設け、
前記回動シャフトと前記表示装置が一体的に回動されるように連結されていることを特徴とするモニター開閉装置。
【発明の詳細な説明】
【０００１】
【発明が属する技術分野】
本発明は、テレビモニター等の表示装置を、観光バスや電車、航空機など（以下、車両等と称する）の室内天井部に対し開閉動作可能に取り付けるためのモニター開閉装置に関するものである。
【０００２】
【従来の技術】
従来この種のモニター開閉装置は、液晶モニター等を含む表示装置の一端部に回動シャフトを設け、この回動シャフトを支点にして、表示装置を車両等の室内天井部に収容した状態の閉位置と下方に吊下した状態の開位置との間で開閉動作させるものとなっている。
【０００３】
【発明が解決しようとする課題】
従来の上記モニター開閉装置の中には、表示装置が車両等の室内天井部から吊下された開位置において、車両等の振動などによって振動しないように固定することができる駆動機構を採用したものがあるが、表示装置が車両等の室内天井部から吊下された開位置で固定されていると、誤って人が表示装置に衝突したときに人や表示装置に加わる衝撃を和らげることができないという問題が生じる。
【０００４】
また、回動シャフトを支点にして表示装置をモーターの駆動力により開へ駆動させる際に、表示装置の重量による力のモーメントが発生する。
【０００５】
そこで、表示装置の重量によるモーメントがモーターに対し変動負荷として作用しないように駆動力伝達機構にボールねじ軸とボールねじナット等を用い、且つ、ボールねじナットの直線移動をリンク等で表示装置の回動に変換するなどの方式を採用することも可能であるが、その場合、駆動力伝達機構全体が、複雑化し大型化するという問題が生じる。
【０００６】
一方、駆動力伝達機構が例えばギア列等の回転伝達機構のみの場合、表示装置の重量による力のモーメントがモーターに対し変動負荷として作用することとなるため、その変動負荷を考慮してモーターを大型化せざるを得なくなる。
【０００７】
特開２００２−９６６９０号公報には、表示装置の重量による力のモーメントを軽減するためのバランス機構を備えたモニター開閉機構が記載されているが、このバランス機構には圧縮コイルばねが用いられており、本質的に圧縮コイルばねはその圧縮量に対するばね力が大きく変化するものであるため、表示装置の重量によるモーメントに対して満足なバランスを得ることができない。
【０００８】
さらに、従来の上記のモニター開閉装置においては、車両等に振動が生じたときに、駆動力伝達機構構成部品間のクリアランス等に起因して、駆動力伝達機構の内部に望ましくない振動や振動音が発生することがあり、また、上記バランス機構に圧縮ばねを用いたものにおいては、ばねの慣性力によって表示装置の振動が持続されてしまうという問題が生じる。
【０００９】
そして、回転伝達機構により回動シャフトを支点にして表示装置をモーターの駆動力により開へ駆動させるものにおいて、回動シャフトの一端が回転可能に軸支されて、その回動シャフトの他端に回転伝達機構を設けたものがあるが、その場合、モーターの駆動力が回転シャフトの一端に集中し、回転シャフトがねじれが生じてしまうため、駆動力が効率よく回転シャフトに伝達されないという問題があると共に、回転シャフトが破損してしまう恐れがある。
【００１０】
したがって、本発明の目的は、構造を複雑化することなく小型の駆動手段で効率よく表示装置を開閉駆動させることができると共に、車両等の振動による表示装置の振動や駆動機構内部の振動音等を効果的に抑えることができるモニター開閉装置を提供することにある。
【００１１】
【課題を解決するための手段】
上記課題を解決するために、本発明は、表示装置を車両などの室内天井部に対し開閉動作可能に取り付けるためのモニター開閉装置であって、車両等の室内天井部に設けられる固定ベースと、表示装置の一端部側に固定して設けられて固定ベースに回動可能に支持された回動シャフトと、固定ベースに設けられた開閉駆動手段と、表示装置が回動シャフトを支点として開閉駆動するように開閉駆動手段の駆動力を伝達するギア列と、回動シャフトと一体に回動するアームと、該アームと固定ベースとの間に取り付けられてアームを付勢する作動スプリングと、を有し、前記回動シャフトの略中央部に前記ギア列を設けると共に、前記アームの両端に前記作動スプリングを設け、前記作動スプリングは、高圧ガスをシリンダチューブに封入したガススプリングからなることを特徴とするモニター開閉装置を提供する。
【００１２】
上記構成のモニター開閉装置においては、所定の重量を有する表示装置が閉位置から所定角度の開位置までに回動するとき、その重量による力のモーメントは閉位置から回動角度に応じて変化するが、作動スプリングがガススプリングであるため、表示装置の閉位置から所定角度の開位置までの回動区間において作動スプリングの長さに拘わらずほぼ一定の付勢力をアームに与えることができる。
【００１３】
したがって、作動スプリングの付勢力によりアームを通じて回動シャフトに与える力のモーメント（表示装置の重量による力のモーメントを打ち消す方向のモーメント）を、表示装置の重量による力のモーメントの変化に応じて変化させることもできる。
【００１４】
また、開閉駆動手段の駆動力を伝達するギア列を回動シャフトの略中央部に設けることによって、回動シャフトがねじれることなく、開閉駆動手段によって回動させることができるので、駆動力を効率よく回動シャフトに伝達することができる。
【００１５】
上記構成のモニター開閉装置において、好ましくは、前記アームは、前記表示装置が所定角度の開位置に停止されているときに、前記作動スプリングの付勢力が前記回動シャフトに対して前記表示装置の開方向又は閉方向のいずれかの方向に作用させるように、前記回動シャフトに取り付けられている構成とされる。
【００１６】
上記構成によれば、表示装置が開閉駆動手段により、所定角度の開角度に停止されているときに、作動スプリングに設定された付勢力により、回動シャフトに力のモーメントを作用させておくことができるので、開閉駆動手段と回動シャフトとの間のギア列内に存するクリアランスに起因した振動や振動音の発生を効果的に防止することができる。しかも、作動スプリングがガススプリングであるので、車両等の振動を緩和する働きにより、表示装置の振動を効果的に抑制することができる。
【００１７】
さらに、上記構成のモニター開閉装置において、好ましくは、前記表示装置の表示部に取り付けられるモニターベースと、前記モニターベースに固着されたモニターベースアームと、前記回動シャフトの所定箇所に設けられた平面部と、前記平面部を挟み込むようにして前記モニターベースアームに一体的に固定されるシャフトステーと、前記モニターベースアームに前記シャフトステーを一体的に連結可能な一端部を設け、前記回動シャフトと前記表示装置が一体的に回動されるように連結されて構成される。
【００１８】
上記構成によれば、回動シャフトをモニターベースアームに対して強固に固定することができるので、表示装置の重量によってモニターベースアームが回動シャフトに対して独立して回転してしまうことを確実に防止することができる。しかも、回動シャフトとモニターベースアームをガタツキなく連結することができるので、駆動ギアから被動ギアを介して回動シャフトによって表示装置を確実に設定されている回動角度に駆動することができる。
【００１９】
【発明の実施の形態】
以下、図面を参照して本発明の好ましい実施形態を説明する。
【００２０】
図１から図１１までは本発明に係るモニター開閉装置のアーム４２を第１取付角度に取り付けた場合の実施形態を示したものである。図１（ａ）はモニター開閉装置の底面図、（ｂ）は表示装置が閉じている状態の側面図、（ｃ）は表示装置が開いている状態の側面図である。図２は図１に示すモニター開閉装置の内部を示す図１（ｂ）中２−２線に沿った断面図であり、図３は図１に示すモニター開閉装置の図２中３−３線に沿った断面図である。図４は図１に示すモニター開閉装置の図２中４−４線に沿った断面図であり、図５は図２に示すモニター開閉装置の一部を図４中５−５線に沿う断面図とした要部拡大図である。また、図６は図１に示すモニター開閉装置の要部斜視図であり、図７（ａ）、（ｂ）はそれぞれ図１のモニター開閉装置に用いられるガススプリングの構成例を示す断面図である。図８から図１１までは図１に示すモニター開閉装置の表示装置の開動作を説明するための図である。そして、図１２から図１５までは図１に示すモニター開閉装置のアーム４２を第２取付角度に取り付けた場合の表示装置の開動作を説明するための図である。
【００２１】
はじめに図１及び図２を参照すると、１０は車両等の室内天井部２に設けられる固定ベースであり、１１はパネル状の表示部１２を有する表示装置である。パネル状の表示部１２としてはテレビ受信映像やビデオ等の録画映像等を表示できるものであればよく、特に限定されないが、例えば、液晶表示部、プラズマ放電式表示部等を用いることができる。
【００２２】
表示装置１１は、表示部１２の背面に取り付けられるモニターベース１３と、モニターベース１３の左右両側辺近傍においてモニターベース１３の背面側に固着された２つのモニターベースアーム１４，１４と、これらモニターベース１３及びモニターベースアーム１４，１４を取り囲むようにしてモニターベース１３に取り付けられたモニターケース１５とを有している。
【００２３】
モニターベースアーム１４，１４はそれぞれモニターベース１３の基端から突出して延びる一端部１４ａ，１４ａを有しており、モニターベース１３の基端と平行に延びる回動シャフト１８がこれらモニターベースアーム１４，１４の一端部１４ａ，１４ａにそれぞれシャフトステー１６，１６を介して固定して設けられている。
【００２４】
図６に示すように、シャフトステー１６は一対の分割片１６ａ，１６ｂからなっており、回動シャフト１８の一部に形成した平面部１８ａを分割片１６ａ，１６ｂで挟み込み、分割片１６ａ，１６ａをねじで締結することにより、シャフトステー１６が回動シャフト１８に対し回動しないように固定されている。
【００２５】
また、モニターベースアーム１４の一端部１４ａは、図６に示すように、シャフトステー１６を両端から挟み込むように形成されており、シャフトステー１６を両側から挟んだ状態でねじ１７によりシャフトステー１６をモニターベースアーム１４の一端部１４ａに固定できるものとなっている。
【００２６】
このようにシャフトステー１６を分割片１６ａ，１６ｂに分割し、この分割片１６ａ，１６ｂにより回動シャフト１８の平面部１８ａを挟み込み、シャフトステー１６と回動シャフト１８を一体化することによって、シャフトステー１６をモニタベースアーム１４に強固に固定することができるので、表示装置１１を回動シャフト１８と一体的に回動させた場合に表示装置１１の重量によってモニタベースアーム１４が回動シャフト１８から外れて独立して回動することはない。
なお、シャフトステー１６の分割片１６ａ，１６ｂのいずれかをモニターベースアーム１４の一端部１４ａに形成して、回動シャフト１８の平面部１８ａを挟み込むようにして取り付けてもよい。
【００２７】
図２及び図３に示すように、固定ベース１０はベースプレート１９と、ベースカバー２０とを有しており、モニターベースアーム１４，１４の一端部を取り囲むモニターケース１５の外側において回動シャフト１８の両端近傍部位がそれぞれベアリング２１，２１を介してベースプレート１９に固設されたベアリングステー２２，２２に回動可能に支持されている。これにより、表示装置１１は固定ベース１０に対し回動シャフト１８を支点として開閉可能に支持されている。
【００２８】
モニターベース１３の先端部側にはストライカー２４が取り付けられており、ベースプレート１９にはロック用アーム２６をこのストライカー２４に係合させることにより表示装置１１を閉位置にロックすることができるロック装置２５が取り付けられている。このロック装置２５は、ロック用アーム２６をロック解除動作させるためのロックモーター２７を有している。
【００２９】
図２、図４及び図５に示すように、ベースプレート１９には開閉駆動手段としてのステッピングモーター２８がモーターステー２９を介して取り付けられており、このステッピングモーター２８の駆動力がギア列３０を介して回動シャフト１８に伝達されるものとなっている。
【００３０】
ここでは、ギア列３０は、回動シャフト１８の長さ方向における略中央部にキー３１ａを介して一体的に取り付けられた被動ギア３１と、ステッピングモーター２８の出力軸３２に取り付けられて被動ギア３１と噛み合う駆動ギア３３とを有しており、駆動ギア３３の一側でステッピングモーター２８の出力軸３２はステッピングモーター２８のハウジングにベアリング（図示せず）を介して軸支されており、表示装置１１が回動したときに表示装置１１の重量による荷重が駆動ギア３３にかかった場合でも、駆動ギア３３が後方（図中ｘ方向）に移動して、駆動ギア３３と被動ギア３１との噛み合いが外れることを確実に防止するようになっている。また、駆動ギア３２の他側でステッピングモーター２８の出力軸３２は上記モーターステー２９に設けられた軸支持部材３４に回転可能に支持されている。
【００３１】
図２〜図５に示すように、ベースプレート１９には回動シャフト１８の回転角度を検出するためのポテンションメーター３５が取り付けられており、このポテンションメータ３５は被動ギア３１と噛み合って回転するポテンションギア３６を有している。
【００３２】
また、回動シャフト１８の略中央付近において、ベースプレート１９には回動シャフト１８が車両等の振動によって軸線方向に変位したときに、元の位置に自動復帰させるためのテンションプレート３７が取り付けられている。このテンションプレート３７はばね鋼等のばね性に富む材料からなっており、基端部がベースプレート１９に固定されると共に、先端部が回動シャフト１８の外周に環状に形成された凹溝１８ｂに係合している。
【００３３】
さらに、ここでは、回動シャフト１８が表示装置１１の重量によって曲がることを防止するために、回動シャフト１８の外周に摺動可能に嵌合するシャフトブッシュ３８がテンションプレート３７に固定して設けられている。
【００３４】
なお、図２において、４０は表示部１２に必要電圧の電源を供給するためのコンバーターであり、例えば車両等の電源電圧ＤＣ２４ＶをＤＣ１２Ｖに変換して表示部１２に供給するように構成される。また、４１はコントローラーであり、外部からのスイッチ入力に応じて表示部１２の開閉状態を判定し、閉状態のときはロック装置２５を解錠動作させて表示部１２を下降（開動作）制御し、また開状態のときは表示部１２を上昇（閉動作）制御するように、ステッピングモーター２８及びロック装置２５を制御するものである。これらコンバーター４０及びコントローラー４１は２つのモニターベースアーム１４，１５の内側におけるベースプレート１９上の空きスペースを利用してベースプレート１９上に設けられている。
【００３５】
図２，図３及び図８に示すように、ベアリングステー２２，２２の外方において、回動シャフト１８の両端部には該回動シャフト１８の軸線に直角な方向に延びて回動シャフト１８と一体に回動するアーム４２，４２が取り付けられている。そして、これらアーム４２，４２の先端部とベースプレート１９上に設けられた取付部４３，４３との間にそれぞれアーム４２，４２を付勢する作動スプリングとしてのガススプリング４４，４４が取り付けられている。
【００３６】
ガススプリング４４は、シリンダチューブ内に封入した高圧ガスの圧力をばねとして利用するものである。図７（ａ）、（ｂ）は本発明に適用することのできる２種類のガススプリングの構成例を示したものであり、図７（ａ）示すガススプリング４４は、チューブ４５の内部にロッド４６と一体で軸方向に摺動するピストン４７を設けたものである。このピストン４７によりチューブ４５の内部が２室４５ａ、４５ｂに分けられており、両室４５ａ、４５ｂに高圧ガス（好ましくは窒素ガス）４８が充填されている。また、両室４５ａ、４５ｂはピストン４７に設けられたオリフィス４７ａによって連通されている。ピストン４７はそのロッド側が反対側に比べてガスの圧力を受ける面積が小さいので、ロッド４６は常に伸び方向に反発力（ガス反力）を有している。また、チューブ４５内に収容された適量のオイル４９により、伸び方向時の速度を制御することができる。
【００３７】
一方、図７（ｂ）に示すガススプリング４４は、フリーピストン５０によりオイル４９を加圧し、このオイル４９を介してガス反力をロッド４６に伝えるものである。
【００３８】
上記構成を有するガススプリング４４は、金属ばねやゴムばね等に比べて大きな初期荷重で小さなばね定数が得られるという特性を有しており、また、衝撃を緩和できるというメリットを有する。後述するように、本発明のモニター開閉装置はガススプリング４４のこのような特性及びメリットを有効に利用するものである。
【００３９】
さらに、本発明によれば、アーム４２をモニターベースアーム１４，１４に対して所定の角度（図８参照）を有するように取り付けることによって、表示装置１１が閉位置から所定角度の開位置（図１１参照）まで回動するときガススプリング４４の付勢力が表示装置１１の重量による力のモーメントを打ち消す方向の力のモーメントとして回動シャフト１８に作用すると共に、表示装置１１が閉位置から所定角度の開位置（図１１参照）まで回動したときに、アーム４２を介して作動スプリングの付勢力による開方向へ回動する方向の力のモーメントが回動シャフト１８に作用させることができる。また、表示装置１１が所定角度の開位置（図１５参照）まで回動したときに、回動シャフト１８にガススプリング４４の付勢力により、アーム４２を介して閉方向へ回動する方向の力のモーメントが作用するように回動シャフト１８にアーム４２をモニターベースアーム１４，１４に対して所定の角度（図１２参照）を有するように取り付けることもできる。
【００４０】
すなわち、アーム４２をモニターベースアーム１４，１４に対して所定の取付角度を有するように回動シャフト１８に取り付けることによって、表示装置１１が所定角度の開位置までに回動したときにガススプリング４４の付勢力よる力のモーメントを回動シャフト１８に任意に作用させることができる。
【００４１】
まず、より具体的に表示装置１１が閉位置でほぼ水平姿勢にあるとき（図８参照）、アーム４２が回動シャフト１８からほぼ垂直に上方に延びてモニターベースアーム１４，１４に対して垂直となるように回動シャフト１８に取り付けられた第１取付角度における実施形態を説明する。このとき、閉位置ではガススプリング４４がほぼ水平姿勢にあってアーム４２と略直角をなすように配置される。
【００４２】
上記の構成を有するとき、表示装置１１が図８に示す閉位置から図１０に示すほぼ垂直姿勢の位置までステッピングモーター２８によって回動される間、表示装置１１の重量による力のモーメントｆ１は、回動シャフト１８を中心として、図８〜図１０中反時計方向に作用し、一方、ガススプリング４４の付勢力による力のモーメントｆ２は、回動シャフト１８を中心として、図８〜図１０中時計方向に作用する。
【００４３】
そして、表示装置１１が図１０に示すほぼ垂直姿勢の位置に達し、表示装置１１の重量によるモーメントｆ１がほぼゼロとなったとき、ガススプリング４４圧縮量がほぼ最大となるが、ガススプリング４４とアーム４２とがほぼ直線上に並ぶので、ガススプリング４４の付勢力による力のモーメントｆ２もまたほぼゼロになる。
【００４４】
さらに、表示装置１１がほぼ垂直姿勢の位置から図１１に例示する所定角度の閉位置までステッピングモーター２８によって回動されるとき、表示装置１１の重量による力のモーメントｆ１’は、回動シャフト１８を中心として、図１１中時計方向に作用し、一方、ガススプリング４４の付勢力による力のモーメントｆ２’は、回動シャフト１８を中心として、図１１中反時計方向に作用する。
【００４５】
表示装置１１がステッピングモーター２８によって図１１に示す開位置まで回動され停止されると、ステッピングモーター２８が有している静止トルク（保持トルク）により、表示装置１１はこの開位置に保持される。このような静止トルク特性を有するステッピングモーターとしては、可変磁気抵抗形、永久磁石形、若しくはそれらの複合型のものから適宜に選択することができる。
【００４６】
さらにこの第１取付角度における実施形態においては、ガススプリング４４は、表示装置１１がステッピングモーター２８によって開位置に停止されているとき、回動シャフト１８に対し表示装置１１の重量による力のモーメントｆ１に勝る大きさの力のモーメントｆ２（ｆ１＜ｆ２）を作用させるように、付勢力が設定されている。
【００４７】
上記構成を有するモニター開閉装置においては、所定の重量を有する表示装置１１が閉位置から所定角度の開位置まで回動するとき、その重量による力のモーメントｆ１は、閉位置からの回動角度に応じて変化するが、作動スプリングとしてガススプリング４４を用いるので、表示装置１１の閉位置から所定角度の開位置までの回動区間において該スプリング４４の長さ変化（圧縮量）に拘わらずほぼ一定の付勢力をアーム４２に与えることができる。
【００４８】
したがって、第１取付角度における実施形態のようにすれば、ガススプリング４４の付勢力によりアーム４２を通じて回動シャフト１８に与える力のモーメントｆ２（表示装置１１の重量による力のモーメントｆ１を打ち消す方向のモーメント）を、表示装置１１の重量による力のモーメントｆ１の変化に応じて変化させることができるので、ステッピングモーター２８に働く負荷の変動を最小限に抑えることができ、ステッピングモーター２８の小型化を図ることができる。
【００４９】
特に、表示装置１１の開位置を、図１１に示すように、ほぼ水平な閉位置に対し９０°より大きな開き角度に設定した場合であっても、表示装置１１がステッピングモーター２８によって開位置からほぼ垂直な角度位置を経て閉位置へと回動される間、特に、表示装置１１が開位置からほぼ垂直な角度位置（図１０参照）まで回動される間に、表示装置１１の重量による力のモーメントｆ１の変化に対してガススプリング４４の付勢力による力のモーメントｆ２が過剰に作用したり、急激に変化して力のモーメントをアンバランスなものにすることがないので、ステッピングモーター２８に働く負荷の変動を最小限に抑える効果は大きい。
【００５０】
また、表示装置１１がステッピングモーター２８により所定角度の開位置に停止されているときに、ガススプリング４４に設定された付勢力により、回動シャフト１８に対し表示装置１１の重量によるモーメントｆ１に勝る大きさの力のモーメントｆ２（ｆ１＜ｆ２）を作用させておくことができるので、ステッピングモーター２８と回動シャフト１８との間にギア列３０に存する歯のクリアランスなどに起因した振動や振動音の発生を効果的に防止することができる。しかも、作動スプリングがガススプリング４４であるので、車両等の振動を緩和する働きにより、表示装置１１の振動を効果的に抑制することができる。
【００５１】
さらに、本発明では、開閉駆動用モーターとしてステッピングモーター２８を用いているので、表示装置１１を保持トルクの作用で所定角度の開位置に停止させることができる。そして、第１取付角度における実施形態では所定角度の開位置に停止している表示装置１１に人などが表示部１２側から衝突したときには、ガススプリング４４に設定された付勢力により、表示装置１１をその衝突方向に適度に回動させ衝突衝撃を緩和させることができるので、安全が高まる。
【００５２】
さらに、本発明では、駆動ギア３３及び被動ギア３１を回動シャフト１８の略中央部に配置することによって、被動ギア３１の回動によってステッピングモーター２８の駆動力を回動シャフト１８に効率よく且つバランス良く伝達させることができる。しかも、ステッピングモーター２８の出力軸３２の軸ぶれを確実に防止することができるので、駆動ギア３３から被動ギア３１を介して回動シャフト１８を確実に駆動することができるものとなっている。
【００５３】
つぎに、表示装置１１が閉位置でほぼ水平姿勢にあるとき（図１２参照）、アーム４２が回動シャフト１８からほぼ水平に後方に延びる第２取付角度における実施形態について説明する。このとき、閉位置ではガススプリング４４がやや下向きに延びてアーム４２とほぼ重複するように配置される。
【００５４】
上記の構成を有するとき、表示装置１１が図１２に示す閉位置から図１４に示すほぼ垂直姿勢の位置までステッピングモーター２８によって回動される間、表示装置１１の重量による力のモーメントｆ１は、回動シャフト１８を中心として、図１２〜図１４中反時計方向に作用し、一方、ガススプリング４４の付勢力による力のモーメントｆ２は、回動シャフト１８を中心として、図８〜図１０中時計方向に作用する。
【００５５】
そして、表示装置１１が図１４に示すほぼ垂直姿勢の位置に達し、表示装置１１の重量によるモーメントｆ１がほぼゼロとなるが、さらに表示装置１１が図１５に例示する所定角度の閉位置までステッピングモーター２８によって回動されるとき、表示装置１１の重量による力のモーメントｆ１’とガススプリング４４の付勢力による力のモーメントｆ２’は、回動シャフト１８を中心として、図１１中時計方向に作用する。
【００５６】
表示装置１１がステッピングモーター２８によって図１５に示す開位置まで回動されて停止されると、ステッピングモーター２８が有している静止トルク（保持トルク）により、表示装置１１はこの開位置に保持される。
【００５７】
したがって、第２取付角度における実施形態のようにすれば、所定角度の開位置に停止している表示装置１１にモニターケース１５側から人などが衝突したときには、ガススプリング４４に設定された付勢力により、表示装置１１をその衝突方向に適度に回動させ衝突衝撃を緩和させることができるので、安全が高まる。
【００５８】
また、このようにステッピングモーター２８が有している静止トルクによって開位置に停止している表示装置１１に対してガススプリング４４の付勢力を作用させることができるので、ステッピングモーター２８と回動シャフト１８との間にギア列３０に存する歯のクリアランスなどに起因した振動や振動音の発生を効果的に防止することができる。
【００５９】
なお、この第２取付角度における実施形態の場合には、第１取付角度における実施形態よりも、被動ギア３１を大きくすることが好ましく、ステッピングモーター２８にかかる負荷が大きくなってしまうという反面、図１５に示す開位置から図１２に示す閉位置まで閉駆動するときには、ガススプリング４４の付勢力を作用させることによって、ステッピングモーター２８の駆動力を小さくすることができる。
【００６０】
このように、車両等の天井に表示装置１１を取り付ける位置によってアーム４２の取付角度を変更し、人などが衝突する可能性の高い、いずれかの方向にガススプリング４４の付勢力が作用するようにアーム４２を回動シャフト１８に取り付けることによって、表示装置１１をその衝突方向に適度に回動させ衝突衝撃を緩和させて安全を高めることができると共に、ギア列３０に存する歯のクリアランスなどに起因した振動や振動音の発生を効果的に防止することができる。
【００６１】
以上、図示実施形態につき説明したが、本発明は上記実施形態の態様のみに限定されるものではなく、特許請求の範囲に記載した範囲内で構成要素に種々の変更を加えることができる。例えば、上記実施形態においては開閉駆動手段としてステッピングモーターを用いているが、他のモーターやエアーシリンダー等を用いてもよい。
【００６２】
【発明の効果】
以上の説明から明らかなように、本発明によれば、構造を複雑化することなく小型の駆動手段で効率よく表示装置を開閉駆動させることができると共に、車両等の振動による表示装置の振動や駆動機構内部の振動音等を効果的に抑えることができるモニター開閉装置を提供することができる。
【図面の簡単な説明】
【図１】本発明のアームを第１取付角度に取り付けた場合の実施形態に係るモニター開閉装置を示すもので、（ａ）はモニター開閉装置の底面図、（ｂ）は表示装置が閉じている状態の側面図、（ｃ）は表示装置が開いている状態の側面図である。
【図２】図１に示すモニター開閉装置の内部を示す図１（ｂ）中２−２線に沿った断面図である。
【図３】図１に示すモニター開閉装置の図２中３−３線に沿った断面図である。
【図４】図４は図１に示すモニター開閉装置の図２中４−４線に沿った断面図である。
【図５】図２に示すモニター開閉装置の一部を図４中５−５線に沿う断面図とした要部拡大図である。
【図６】図１に示すモニター開閉装置の要部斜視図である。
【図７】図７（ａ）、（ｂ）はそれぞれ図１のモニター開閉装置に用いられるガススプリングの構成例を示す断面図である。
【図８】図１に示すモニター開閉装置の図２中８−８線に沿った断面図である。
【図９】図１に示すモニター開閉装置における表示装置の開動作途中状態を示す図８と類似の断面図である。
【図１０】図１に示すモニター開閉装置における表示装置の開動作途中状態を示す図８と類似の断面図である。
【図１１】図１に示すモニター開閉装置における表示装置の開動作途中状態を示す図８と類似の断面図である。
【図１２】図１に示すモニター開閉装置における表示装置のアームを第２取付角度に取り付けた場合の実施形態に係る図２中８−８線に沿った断面図である。
【図１３】図１に示すモニター開閉装置のアームを第２取付角度に取り付けた場合の実施形態における表示装置の開動作途中状態を示す図１２と類似の断面図である。
【図１４】図１に示すモニター開閉装置のアームを第２取付角度に取り付けた場合の実施形態における表示装置の開動作途中状態を示す図１２と類似の断面図である。
【図１５】図１に示すモニター開閉装置のアームを第２取付角度に取り付けた場合の実施形態における表示装置の開動作途中状態を示す図１２と類似の断面図である。
【符号の説明】
１０    固定ベース
１１    表示装置
１２    表示部
１３    モニターベース
１４    モニターベースアーム
１４ａ    一端部
１６    シャフトステー
１６ａ，１６ｂ    分割片
１８    回動シャフト
１８ａ    平面部
１９    ベースプレート
２５    ロック装置
２８    ステッピングモーター（駆動手段）
３０    ギア列
３１    被動ギア
３２    出力軸
３３    駆動ギア
３４    軸支持部材
３５    ポテンションメータ
３７    テンションプレート
４２    アーム
４３    取付部
４４    ガススプリング
ｆ１    表示装置の重量によるモーメント
ｆ２    ガススプリングの付勢力による力のモーメント
【図１】
2004217079.tif 000003
【図２】
2004217079.tif 000004
【図３】
2004217079.tif 000005
【図４】
2004217079.tif 000006
【図５】
2004217079.tif 000007
【図６】
2004217079.tif 000008
【図７】
2004217079.tif 000009
【図８】
2004217079.tif 000010
【図９】
2004217079.tif 000011
【図１０】
2004217079.tif 000012
【図１１】
2004217079.tif 000013
【図１２】
2004217079.tif 000014
【図１３】
2004217079.tif 000015
【図１４】
2004217079.tif 000016
【図１５】
2004217079.tif 000017